(57)【要約】【課題】たとえばＰＣへＩＰ電話を掛けることにより、通話が可能となるような環境が整っていなくても、受信機を携帯しておくことで手元にない携帯電話に着信があることを容易かつ確実に知る。【解決手段】携帯電話１０を収納する携帯電話一時保管庫１００の各収納部１１０に設けられる振動検知センサ１３０により、携帯電話１０における着信動作を検出し、制御ボックス２００の制御回路により、振動検知センサ１３０による着信動作の検出結果からいずれの収納部１１０に収納されている携帯電話１０に着信があるかどうかを判断し、送信機３００により、制御回路によって判断された収納部１１０に対応するコード信号を送信し、収納部１１０の各々に対応して設けられる受信機４００により、送信機３００からのコード信号を受信し、該コード信号が自己宛である場合に携帯電話１０に着信があることが知らされるようにした。【選択図】図１
2008283601.tif 000002
【特許請求の範囲】
【請求項１】
カメラ付きの携帯電話を一時保管することで、情報漏洩対策を行う情報漏洩防止方法であって、
前記携帯電話を収納する複数の収納部の各々に設けられる着信動作検出手段により、前記携帯電話における着信動作を検出する工程と、
着信判断手段により、前記着信動作検出手段による着信動作の検出結果からいずれの収納部に収納されている携帯電話に着信があるかどうかを判断する工程と、
コード信号送信手段により、前記着信判断手段によって判断された前記収納部に対応するコード信号を送信する工程と、
前記収納部の各々に対応して設けられる受信手段により、前記コード信号送信手段からのコード信号を受信し、該コード信号が自己宛である場合に前記携帯電話に着信があることを知らせる工程とを有する
ことを特徴とする情報漏洩防止方法。
【請求項２】
前記着信動作検出手段は、前記携帯電話における着信動作を、着信時に発せられる振動、光又は音のいずれかで検出することを特徴とする請求項１に記載の情報漏洩防止方法。
【請求項３】
前記収納部の各々に設けられる収納部位置検出手段により、前記収納部の閉じ位置又は開け位置を検出する工程を有し、
前記着信判断手段は、全ての前記収納部位置検出手段により前記収納部の閉じ位置が検出されたとき、前記携帯電話に着信があるかどうかを判断する
ことを特徴とする請求項１又は２に記載の情報漏洩防止方法。
【請求項４】
前記着信判断手段又は前記コード信号送信手段は、時刻情報生成手段により時刻情報を生成する工程を有し、
前記受信手段は、前記時刻情報を記憶手段に記憶する工程を有し、
前記着信判断手段は、いずれかの前記収納部位置検出手段により前記収納部の開け位置が検出された後に閉じ位置が検出されたとき、前記時刻情報生成手段に対してその時点での時刻情報を生成させるとともに、その時刻情報を前記収納部位置検出手段により検出された前記収納部に対応する前記受信手段に送信させて前記記憶手段に入室時刻として記憶させ、次にいずれかの前記収納部位置検出手段により前記収納部の開け位置が検出された後に閉じ位置が検出されたとき、前記時刻情報生成手段に対してその時点での時刻情報を生成させるとともに、その時刻情報を前記収納部位置検出手段により検出された前記収納部に対応する前記受信手段に送信させて前記記憶手段に退室時刻として記憶させる
ことを特徴とする請求項３に記載の情報漏洩防止方法。
【発明の詳細な説明】
【技術分野】
【０００１】
本発明は、たとえばカメラ付きの携帯電話等による重要情報の漏洩対策に適した情報漏洩防止方法に関する。
【背景技術】
【０００２】
近年、各企業や団体の研究・開発部門や個人情報取扱部門、あるいは裁判所や美術館等においても、情報漏洩対策のため、携帯電話等の敷地内への持ち込み規制が急激に増加してきている。このような動きに対して、管理が比較的簡単な一時保管庫が各社から販売されている。
【０００３】
このような携帯電話等の持ち込みを規制するものとして、特許文献１では、ユーザが所有するカメラ付き携帯電話機を収納するロッカーと、ユーザが所有するカメラ付き携帯電話機番号と収納すべきロッカー番号の情報がユーザ毎に登録されたテーブルと、ユーザが使用する情報端末の起動要求に対し、テーブルを参照し、当該ユーザ自身が所有する携帯電話機を予め定めたロッカー内に収納しているかを確認し、収納していたならば当該ユーザが使用する情報端末の起動を許可する手段とを有する管理装置とを備えたカメラ付き携帯電話機による情報漏洩防止システムを提案している。
【特許文献１】特開２００６−２３５８１９号公報
【発明の開示】
【発明が解決しようとする課題】
【０００４】
上述した特許文献１に示される情報漏洩防止システムでは、ロッカーにカメラ付き携帯電話機を収納するとき、カメラ付き携帯電話機のデータ出力部分に携帯電話管理サーバを介して室内のＰＣ（パーソナルコンピュータ）と通信が可能となるケーブルを接続し、ロッカーの中のカメラ付き携帯電話機に着信があった場合、携帯電話管理サーバによりユーザが使用中のＰＣに着信信号の転送が行われ、ＰＣへＩＰ電話を掛けることにより、通話が可能となっている。すなわち、各ユーザが使用するＰＣには、それぞれにＩＰアドレスが割り振られていてＩＰ電話により通話を行える環境が整っている。
【０００５】
ところが、このような情報漏洩防止システムでは、ロッカーの中のカメラ付き携帯電話機に着信があった場合、携帯電話管理サーバによりユーザが使用中のＰＣに着信信号の転送が行われ、ＰＣへＩＰ電話を掛けることにより、通話が可能となるような環境が整っていなければ、ロッカーに収納してあるカメラ付き携帯電話機に着信があったことを知ることができないという問題があった。
【０００６】
本発明は、このような状況に鑑みてなされたものであり、上記問題点を解決することができる情報漏洩防止方法を提供することを目的とする。
【課題を解決するための手段】
【０００７】
本発明の情報漏洩防止方法は、カメラ付きの携帯電話を一時保管することで、情報漏洩対策を行う情報漏洩防止方法であって、前記携帯電話を収納する複数の収納部の各々に設けられる着信動作検出手段により、前記携帯電話における着信動作を検出する工程と、着信判断手段により、前記着信動作検出手段による着信動作の検出結果からいずれの収納部に収納されている携帯電話に着信があるかどうかを判断する工程と、コード信号送信手段により、前記着信判断手段によって判断された前記収納部に対応するコード信号を送信する工程と、前記収納部の各々に対応して設けられる受信手段により、前記コード信号送信手段からのコード信号を受信し、該コード信号が自己宛である場合に前記携帯電話に着信があることを知らせる工程とを有することを特徴とする。
また、前記着信動作検出手段は、前記携帯電話における着信動作を、着信時に発せられる振動、光又は音のいずれかで検出するようにすることができる。
また、前記収納部の各々に設けられる収納部位置検出手段により、前記収納部の閉じ位置又は開け位置を検出する工程を有し、前記着信判断手段は、全ての前記収納部位置検出手段により前記収納部の閉じ位置が検出されたとき、前記携帯電話に着信があるかどうかを判断するようにすることができる。
また、前記着信判断手段又は前記コード信号送信手段は、時刻情報生成手段により時刻情報を生成する工程を有し、前記受信手段は、前記時刻情報を記憶手段に記憶する工程を有し、前記着信判断手段は、いずれかの前記収納部位置検出手段により前記収納部の開け位置が検出された後に閉じ位置が検出されたとき、前記時刻情報生成手段に対してその時点での時刻情報を生成させるとともに、その時刻情報を前記収納部位置検出手段により検出された前記収納部に対応する前記受信手段に送信させて前記記憶手段に入室時刻として記憶させ、次にいずれかの前記収納部位置検出手段により前記収納部の開け位置が検出された後に閉じ位置が検出されたとき、前記時刻情報生成手段に対してその時点での時刻情報を生成させるとともに、その時刻情報を前記収納部位置検出手段により検出された前記収納部に対応する前記受信手段に送信させて前記記憶手段に退室時刻として記憶させるようにすることができる。
本発明の情報漏洩防止方法では、携帯電話を収納する複数の収納部の各々に設けられる着信動作検出手段により、携帯電話における着信動作を検出し、着信判断手段により、着信動作検出手段による着信動作の検出結果からいずれの収納部に収納されている携帯電話に着信があるかどうかを判断し、コード信号送信手段により、着信判断手段によって判断された収納部に対応するコード信号を送信し、収納部の各々に対応して設けられる受信手段により、コード信号送信手段からのコード信号を受信し、該コード信号が自己宛である場合に携帯電話に着信があることが知らされる。
【発明の効果】
【０００８】
本発明の情報漏洩防止方法によれば、着信判断手段により、着信動作検出手段による着信動作の検出結果からいずれの収納部に収納されている携帯電話に着信があるかどうかを判断し、コード信号送信手段により、着信判断手段によって判断された収納部に対応するコード信号を送信し、収納部の各々に対応して設けられる受信手段により、コード信号送信手段からのコード信号を受信し、該コード信号が自己宛である場合に携帯電話に着信があることが知らされるようにしたので、たとえばＰＣへＩＰ電話を掛けることにより、通話が可能となるような環境が整っていなくても、受信手段を携帯しておくことで手元にない携帯電話に着信があることを容易かつ確実に知ることができる。
【発明を実施するための最良の形態】
【０００９】
本実施形態では、携帯電話を収納する複数の収納部の各々に設けられる着信動作検出手段により、携帯電話における着信動作を検出し、着信判断手段により、着信動作検出手段による着信動作の検出結果からいずれの収納部に収納されている携帯電話に着信があるかどうかを判断し、コード信号送信手段により、着信判断手段によって判断された収納部に対応するコード信号を送信し、収納部の各々に対応して設けられる受信手段により、コード信号送信手段からのコード信号を受信し、該コード信号が自己宛である場合に携帯電話に着信があることが知らされるようにした。
【００１０】
これにより、たとえばＰＣへＩＰ電話を掛けることにより、通話が可能となるような環境が整っていなくても、受信手段を携帯しておくことで手元にない携帯電話に着信があることを容易かつ確実に知ることができる。
【実施例】
【００１１】
以下、本発明の実施例の詳細について説明する。図１は、本発明の情報漏洩防止方法に係る情報漏洩防止システムの一実施例を説明するための図である。
【００１２】
同図に示す情報漏洩防止システムは、携帯電話一時保管庫１００と、制御ボックス２００と、送信機３００と、受信機４００とを備えている。
【００１３】
携帯電話一時保管庫１００は、たとえばカメラ付きの携帯電話１０を収容する２５個の収納部１１０を有している。これらの収納部１１０は、たとえば引き出し自在とされているとともに、図示しないロック装置によって閉じ位置にてロックされるようになっている。また、それぞれの収納部１１０のロック装置は、それぞれの専用の鍵によってロックが解除されるようになっている。また、これらの収納部１１０は、携帯電話一時保管庫１００からの引き出しによる開け位置と、押し戻しによる閉じ位置とに応じて後述のマイクロＳＷ（スイッチ）１２０がオン／オフするようになっている。
【００１４】
また、各収納部１１０には、携帯電話１０を載置する携帯電話載置プレート１３１と、この携帯電話載置プレート１３１の背面に貼着されている振動検知センサ１３０とが収容されている。この振動検知センサ１３０は、携帯電話１０がマナーモードとされているとき、携帯電話１０の着信動作に伴って発生する振動を検知するものである。
【００１５】
制御ボックス２００は、たとえば携帯電話一時保管庫１００の下部に配設されているが、その詳細については後述する。送信機３００もたとえば携帯電話一時保管庫１００の下部に配設されているが、その詳細については後述する。なお、制御ボックス２００及び送信機３００は、携帯電話一時保管庫１００の下部に限らず、携帯電話一時保管庫１００の左右の側面、背面、上面のいずれかに配設されていてもよいし、いずれかの収納部１１０に配設されていてもよい。
【００１６】
受信機４００は、送信機３００からのたとえばコード信号を受信し、そのコード信号が自己宛である場合に携帯電話１０へ着信があることを知らせるものであるが、その詳細については後述する。
【００１７】
図２は、制御ボックス２００の詳細について説明するための図である。同図に示すように、制御ボックス２００は、接続コネクタ２１０、マイクロＳＷオン／オフ検知回路２２０、接続コネクタ２３０、振動検知回路２４０、管理テーブル２５０、送信機コントローラ２６０、制御回路２７０を備えている。
【００１８】
接続コネクタ２１０には、携帯電話一時保管庫１００からの収納部１１０の引き出しによる開け位置と、押し戻しによる閉じ位置とに応じてオン／オフする複数のマイクロＳＷ（スイッチ）１２０が接続されている。ここで、これらのマイクロＳＷ１２０は、それぞれの収納部１１０に対応して設けられているものであり、たとえば携帯電話一時保管庫１００から収納部１１０が引き出されての開け位置でオフし、押し戻されての閉じ位置でオンするようになっている。
【００１９】
マイクロＳＷオン／オフ検知回路２２０は、各マイクロＳＷ１２０におけるオン／オフを検知するとともに、いずれのマイクロＳＷ１２０がオン／オフしたかを制御回路２７０に通知する。
【００２０】
接続コネクタ２３０には、各携帯電話載置プレート１３１の背面に貼着されている複数の振動検知センサ１３０が接続されている。振動検知回路２４０は、各振動検知センサ１３０からの検知結果を受け取ると、いずれの振動検知センサ１３０が振動検知を行ったか
制御回路２７０に通知する。
【００２１】
管理テーブル２５０には、たとえば図３に示すように、携帯電話一時保管庫１００の各収納部１１０に対応させたたとえば００１，００２，００３，・・・０２５で示すコードＮｏが登録されている。また、管理テーブル２５０には、それぞれのコードＮｏに対応させて携帯電話１０が収納部１１０に収納されているか否かを示す収納の有無が登録されるようになっている。ここで、収納の有無は、制御回路２７０によって行われるが、その詳細については後述する。
【００２２】
送信機コントローラ２６０は、送信機３００におけるコード信号等の送信を制御する。制御回路２７０は、所定の手順に従って、各部の動作を制御する。ここで、制御回路２７０による主な制御としては、マイクロＳＷオン／オフ検知回路２２０による各マイクロＳＷ１２０の検知結果が全てオンであるかどうかを確認し、いずれかのマイクロＳＷ１２０の検出結果がオフである場合は図示しないブザー又はＬＥＤによっていずれかの収納部１１０が閉じ位置に戻されていないことを知らせる。
【００２３】
また、制御回路２７０は、いずれかのマイクロＳＷ１２０の検出結果がオフである場合、振動検知回路２４０による振動検知動作を停止させる。これは、収納部１１０の開閉時に生じる振動によって振動検知センサ１３０がその振動を検知し、振動検知回路２４０が携帯電話１０への着信時に生じる振動とは異なる振動から携帯電話１０に着信があるといった誤検知が行われないようにするためである。
【００２４】
この場合、制御回路２７０は、マイクロＳＷオン／オフ検知回路２２０による各マイクロＳＷ１２０の検知結果が全てオンであることを確認した後、振動検知回路２４０による振動検知を行わせる。
【００２５】
また、制御回路２７０による主な制御としては、振動検知回路２４０による検知結果をたとえば数回サンプリングし、そのサンプリング時に振動があることが検知されると、携帯電話１０に着信があることを認識し、その振動を検知している振動検知センサ１３０に対応する収納部１１０のコードＮｏを管理テーブル２５０から読み出し、送信機コントローラ２６０に対して送信機３００にそのコードＮｏに対応するコード信号を送信させることである。
【００２６】
ここで、制御回路２７０による数回のサンプリングは、携帯電話１０への着信を確実に認識するためである。すなわち、携帯電話１０の着信時の振動は、数回のサンプリングが行われたときに継続して検知されるものであり、数回のサンプリングが行われたときに単発的に検知された場合は携帯電話１０の着信時以外の振動であるというような区別が付けられることによるものである。
【００２７】
図４は、送信機３００及び受信機４００の詳細について説明するための図である。同図に示すように、送信機３００は、コード情報生成回路３１０、送信部３２０、制御回路３３０を備えている。
【００２８】
コード情報生成回路３１０は、たとえばＦＭパケット通信でのパケットに重畳させるためのコード情報を生成する。送信部３２０は、コード情報生成回路３１０によって生成されたコード情報を有するコード信号としてのパケットを送信する。制御回路３３０は、コード情報生成回路３１０によって生成されたコード情報をパケットのたとえばヘッダーに重畳させた後、送信部３２０からコード信号としてのパケットを送信するように制御する。
【００２９】
受信機４００は、受信部４１０、告知部４２０、制御回路４３０を備えている。受信部４１０は、送信部３２０からのコード信号としてのパケットを受信する。告知部４２０は、携帯電話１０に着信があったことを告知する。ここで、告知部４２０は、液晶表示部、ブザー、ＬＥＤ又はバイブレータのいずれかとすることができる。そして、液晶表示部の場合は、文字等で携帯電話１０に着信があることを知らせる。ブザーの場合は、音で携帯電話１０に着信があることを知らせる。ＬＥＤの場合、点灯又は点滅によって携帯電話１０に着信があることを知らせる。バイブレータの場合は振動によって着信があったことを知らせる。
【００３０】
制御回路４３０は、受信部４１０によって受信されたコード信号としてのパケットのヘッダーに含まれているコード情報から自己宛のパケットかどうかを判断し、自己宛の場合は、告知部４２０を制御して文字、音、光、振動等により携帯電話１０に着信があることを知らせるように制御する。
【００３１】
次に、情報漏洩防止システムにおける情報漏洩防止方法について説明する。なお、以下に説明する携帯電話一時保管庫１００は、所定の施設の入口に設置されていて、来客者が携帯電話１０をいずれかの収納部１１０に収納した後、その収納部１１０に対応する受信機４００を受け取るものとする。また、来客者が携帯電話１０をいずれかの収納部１１０に収納するとき、携帯電話１０をマナーモードに設定するものとする。また、それぞれの収納部１１０は、上述したように、図示しないロック装置によって引き出しがロックされるようになっているため、来客者又は施設側の担当者によってそのロック装置によるロック又はロック解除が行われるものとする。
【００３２】
そして、まず、図５に示すように、全てのマイクロＳＷ１２０がオンであるかどうかが判断される（ステップＳ１）。すなわち、収納部１１０が閉じ位置に戻されていれば、マイクロＳＷ１２０が上述したようにオンとなるため、全てのマイクロＳＷ１２０がオンであるかどうかを確認することで、全ての収納部１１０が閉じ位置に戻されているかどうかが認識されることになる。
【００３３】
ここで、いずれかの収納部１１０のロック装置によるロックが専用の鍵によって解除され、その収納部１１０が引き出されて開け位置となると、その収納部１１０に対応するマイクロＳＷ１２０がオフとなる（ステップＳ１：ｎｏ）。
【００３４】
このとき、制御ボックス２００のマイクロＳＷオン／オフ検知回路２２０により、その収納部１１０に対応するマイクロＳＷ１２０のオフが検知されると、制御回路２７０により、図示しないブザー又はＬＥＤによる音又は光によっていずれかの収納部１１０が引き出されていることが告知される（ステップＳ２）。
【００３５】
また、このとき、制御回路２７０により、振動検知回路２４０による振動検知動作が停止される（ステップＳ３）。これは、上述したように、収納部１１０への携帯電話１０の収納や、収納部１１０からの携帯電話１０の取り出しが行われるとき、その収納部１１０の引き出し等に伴って振動検知センサ１３０が携帯電話１０への着信時の振動とは異なる他の振動を検知してしまうことを防止するためである。
【００３６】
次に、収納部１１０への携帯電話１０の収納や、収納部１１０からの携帯電話１０の取り出しが行われた後、収納部１１０が閉じ位置に戻されると、その収納部１１０に対応するマイクロＳＷ１２０がオンとなる。ここで、収納部１１０へ携帯電話１０を収納するとき、携帯電話１０への着信を知らせてほしい場合はマナーモードとしておく。
【００３７】
このとき、制御ボックス２００のマイクロＳＷオン／オフ検知回路２２０により、その収納部１１０に対応するマイクロＳＷ１２０のオンが検知され、さらにマイクロＳＷオン／オフ検知回路２２０による検知結果から全てのマイクロＳＷ１２０がオンであることが判断されると（ステップＳ１：ｙｅｓ）、制御回路２７０により、図示しないブザー又はＬＥＤによる音又は光による告知が停止されるとともに（ステップＳ４）、振動検知回路２４０による振動検知動作が再開される（ステップＳ５）。
【００３８】
ここで、いずれかの収納部１１０に収納されている携帯電話１０に着信があると、その携帯電話１０がマナーモードに設定されていれば振動が生じることで、その収納部１１０に設けられている携帯電話載置プレート１３１の背面に貼着されている振動検知センサ１３０によりその振動が検知される（ステップＳ６）。
【００３９】
このとき、振動検知回路２４０により、振動検知センサ１３０からの検知結果が受け取られると、制御回路２７０により、振動検知回路２４０による検知結果がたとえば数回サンプリングされ、そのサンプリング時に振動があることが検知されると、携帯電話１０に着信があることが認識される（ステップＳ７）。
【００４０】
またこのとき、制御回路２７０により、振動検知回路２４０による検知結果からその振動を検知している振動検知センサ１３０に対応する収納部１１０が判別され、その収納部１１０に対応するコードＮｏが管理テーブル２５０から読み出され（ステップＳ８）、送信機コントローラ２６０に対して送信機３００にそのコードＮｏに対応するコード信号の送信が指示される（ステップＳ９）。
【００４１】
送信機３００側では、送信機コントローラ２６０からのコード信号の送信の指示を受け取ると、コード情報生成回路３１０により、たとえばＦＭパケット通信でのパケットに重畳させるためのコード情報が生成される（ステップＳ１０）。すなわち、送信機コントローラ２６０からのコードＮｏが００１，００２，００３，・・・０２５のいずれかであるとき、そのコードＮｏに対応するコード情報が生成されることになる。
【００４２】
ここで、そのコード情報が生成されると、送信機３００の制御回路３３０により、そのコード情報がコード信号としてのパケットのたとえばヘッダーに重畳された後、送信部３２０からコード信号としてのパケットが送信される（ステップＳ１１）。
【００４３】
一方、受信機４００側では、受信部４１０によって送信部３２０からのコード信号としてのパケットが受信されると、制御回路４３０により、受信部４１０によって受信されたコード信号としてのパケットのヘッダーに含まれているコード情報から自己宛のパケットかどうかが判断され（ステップＳ１２）、自己宛の場合は告知部４２０が制御されて文字、音又は光等により携帯電話１０に着信があることが知らされる（ステップＳ１３）。
【００４４】
よって、来客者は、受信機４００による文字、音、光又は振動等による告知によって収納部１１０に収納しておいた携帯電話１０に着信があることを確認できるため、収納部１１０の図示しないロック装置によるロックを解除して収納部１１０を引き出し、携帯電話１０を取り出すことでその着信に応答することができる。
【００４５】
なお、携帯電話１０への着信に直ちに応答することができない場合は、少なくとも携帯電話１０に着信があったことを受信機４００による文字、音、光又は振動等による告知によって知ることができるため、後で携帯電話１０の着信履歴を確認してから相手を呼び出すようにすればよい。
【００４６】
このように、本実施例では、携帯電話１０を収納する携帯電話一時保管庫１００の複数の収納部１１０の各々に設けられる着信動作検出手段としての振動検知センサ１３０により、携帯電話１０における着信動作を検出し、着信判断手段としての制御ボックス２００の制御回路２７０により、振動検知センサ１３０による着信動作の検出結果からいずれの収納部１１０に収納されている携帯電話１０に着信があるかどうかを判断し、コード信号送信手段としての送信機３００により、制御回路２７０によって判断された収納部１１０に対応するコード信号を送信し、収納部１１０の各々に対応して設けられる受信手段としての受信機４００により、送信機３００からのコード信号を受信し、該コード信号が自己宛である場合に携帯電話１０に着信があることが知らされるようにしたので、たとえばＰＣへＩＰ電話を掛けることにより、通話が可能となるような環境が整っていなくても、受信機４００を携帯しておくことで手元にない携帯電話１０に着信があることを容易かつ確実に知ることができる。
【００４７】
また、本実施例では、収納部１１０の各々に収納部１１０の閉じ位置又は開け位置を検出する収納部位置検出手段としてのマイクロＳＷ１２０を設け、制御ボックス２００の制御回路２７０により、全てのマイクロＳＷ１２０により収納部１１０の閉じ位置が検出されたとき、携帯電話１０に着信があるかどうかを判断するようにしたので、収納部１１０の開閉時に生じる振動によって振動検知センサ１３０がその振動を検知し、振動検知回路２４０が携帯電話１０への着信時に生じる振動とは異なる振動から携帯電話１０に着信があるといった誤検知が行われないようにすることができる。
【００４８】
また、本実施例では、制御ボックス２００の制御回路２７０により、振動検知センサ１３０による着信動作の検出結果を数回サンプリングし、そのサンプリング時に着信動作が検知されると携帯電話１０に着信があったと判断するようにしているので、携帯電話１０への着信を確実に認識することができる。すなわち、携帯電話１０の着信時の振動は、上述したように、数回のサンプリングが行われたときに継続して検知されるものであり、数回のサンプリングが行われたときに単発的に検知された場合は携帯電話１０の着信時以外の振動であるというような区別が付けられることによるものである。
【００４９】
また、本実施例では、マイクロＳＷ１２０が収納部１１０の閉じ位置でオンし、収納部１１０が引き出されたときオフする場合で説明したが、この例に限らず、マイクロＳＷ１２０が収納部１１０の閉じ位置でオフし、収納部１１０が引き出されたときオンするようにしてもよい。
【００５０】
また、本実施例では、いずれかのマイクロＳＷ１２０のオフが検知されると、制御回路２７０により、振動検知回路２４０による振動検知動作が停止される場合について説明したが、この例に限らず、いずれかのマイクロＳＷ１２０のオフが検知されても、振動検知回路２４０による振動検知動作を継続させることも可能である。これは、振動検知回路２４０によって振動検知センサ１３０による振動検知が個別に行われているためと、制御回路２７０により、振動検知回路２４０による検知結果がたとえば数回サンプリングされ、そのサンプリング時に振動があることが検知されるで携帯電話１０に着信があることが認識されるためである。
【００５１】
また、本実施例では、振動検知センサ１３０により、携帯電話１０への着信を振動によって検知する場合について説明したが、この例に限らず、携帯電話１０への着信を光又は音によって検知するようにしてもよい。
【００５２】
すなわち、携帯電話１０に着信があると、携帯電話１０の表示部のライト等が点灯するため、そのライト等の点灯を検知することで着信を検知することが可能となる。また、携帯電話１０をマナーモードにしておかない場合は、着信があると着信音が発生されるため、その着信音を検知することで着信を検知することが可能となる。
【００５３】
また、本実施例では、受信機４００によって収納部１１０に収納しておいた携帯電話１０に着信があることを知らせるようにした場合について説明したが、この例に限らず、受信機４００にたとえば入室時間や退室時間等を記憶させるようにしておくことも可能である。
【００５４】
この場合、たとえば図６に示すように、送信機３００に時刻情報生成手段としての時刻情報生成回路３４０を追加し、受信機４００に記憶手段としての受信情報記憶部４４０と受信情報出力部４５０とを追加しておく。ここで、時刻情報生成回路３４０により、たとえば収納部１１０に携帯電話１０を収納した時刻を示す時刻情報と、収納部１１０から携帯電話１０を取り出した時刻を示す時刻情報とが生成されるようにする。なお、時刻情報生成回路３４０は、送信機３００側に限らず、制御ボックス２００側に設けられているようにしてもよい。
【００５５】
すなわち、収納部１１０への携帯電話１０の収納は、上述したように、マイクロＳＷ１２０がオン（収納部１１０が閉じ位置にある）→オフ（収納部１１０が引き出される）→オン（収納部１１０が閉じ位置に戻される）となることで検知できるため、その検知した時点での時刻情報を時刻情報生成回路３４０により生成されるようにすればよい。言い換えれば、この時点での時刻は、来客者が入室したときの時刻となる。
【００５６】
そして、その時点での時刻情報生成回路３４０により生成される時刻情報を受信機４００に送信することで、受信機４００側の受信情報記憶部４４０にその時刻情報が記憶されるようにする。
【００５７】
一方、収納部１１０からの携帯電話１０の取り出しは、上述したように、マイクロＳＷ１２０がオン（収納部１１０が閉じ位置にある）→オフ（収納部１１０が引き出される）→オン（収納部１１０が閉じ位置に戻される）となることで検知できるため、上記同様に、その検知した時点での時刻情報を時刻情報生成回路３４０により生成されるようにすればよい。言い換えれば、この時点での時刻は、来客者が退室したときの時刻となる。
【００５８】
そして、その時点での時刻情報生成回路３４０により生成される時刻情報を受信機４００に送信することで、上記同様に、受信機４００側の受信情報記憶部４４０にその時刻情報が記憶されるようにする。
【００５９】
ここで、受信情報記憶部４４０には、来客者の入室時の時刻情報と、退室時の時刻情報とが記憶されているため、受信情報出力部４５０からその時刻情報を読み出すことで、来客者の入退室を管理することができる。
【図面の簡単な説明】
【００６０】
【図１】図１は、本発明の情報漏洩防止方法に係る情報漏洩防止システムの一実施例を説明するための図である。
【図２】図１の制御ボックスの詳細について説明するための図である。
【図３】図２の管理テーブルを説明するための図である。
【図４】図１の送信機及び受信機の詳細について説明するための図である。
【図５】図１の情報漏洩防止システムにおける情報漏洩防止方法について説明するためのフローチャートである。
【図６】図１の情報漏洩防止システムの構成を変えた場合の他の実施例を説明するための図である。
【符号の説明】
【００６１】
１００  携帯電話一時保管庫
１１０  収納部
１２０  マイクロＳＷ（収納部位置検出手段）
１３０  振動検知センサ（着信動作検出手段）
１３１  携帯電話載置プレート
２００  制御ボックス
２１０  接続コネクタ
２２０  マイクロＳＷオン／オフ検知回路
２３０  接続コネクタ
２４０  振動検知回路
２５０  管理テーブル
２６０  送信機コントローラ
２７０  制御回路（着信判断手段）
３００  送信機（コード信号送信手段）
３１０  コード情報生成回路
３２０  送信部
３３０  制御回路
３４０  時刻情報生成回路（時刻情報生成手段）
４００  受信機（受信手段）
４１０  受信部
４２０  告知部
４３０  制御回路
４４０  受信情報記憶部（記憶手段）
４５０  受信情報出力部
【図１】
2008283601.tif 000003
【図２】
2008283601.tif 000004
【図３】
2008283601.tif 000005
【図４】
2008283601.tif 000006
【図５】
2008283601.tif 000007
【図６】
2008283601.tif 000008